(57)【要約】      （修正有）【課題】何時どのような廃棄物を、どこの物件からどの業者がどのような種類の廃棄物を回収してどの処分場に持ち込んだかを一元管理できる廃棄物管理システムを得る。【解決手段】運搬担当者が電子秤１３で廃棄物回収袋１１の重量を計測し、携帯端末１５でＩＣタグ１２のタグ番号を読み込んで、車輌番号及び運搬担当者及び通信カメラＩＤ並びに回収日時等を携帯端末１５に登録する。そして、産廃業者で、重量を電子秤１３で計測し、携帯端末１５でＩＣタグ１２のタグ番号を読み込んで、荷降日時等と共に、携帯端末１５に登録した後に、産廃業者携帯端末送信情報を通信ネットワーク６０で基幹サーバ３１１に送信させる。一方、基幹サーバ３１１は、産廃業者携帯端末送信情報の回収日時に対して直前の撮影日時を有する通信カメラ送信情報を引当て、この撮影画像を産廃業者携帯端末送信情報に紐付けて管理する。【選択図】図１
2010191906.tif 000002
【特許請求の範囲】
【請求項１】
現場にて排出される建築物の廃棄物を、運搬担当者により産廃業者に運搬しながら管理するために、現場サブシステムと、産廃業者サブシステムと、前記建築物を建設する住宅業者の住宅業者サブシステムと、日本産業廃棄物処理振興センターのサーバとを通信ネットワークで接続して電子マニフェスト情報を前記日本産業廃棄物処理振興センターのサーバに登録すると共に、前記廃棄物の撮影画像を所定の情報と共に、前記住宅業者サブシステムで管理する廃棄物管理システムであって、
前記現場サブシステムは、
前記現場にて排出される前記廃棄物を収納した廃棄物回収袋に取付けられたＩＣタグと、携帯端末と、前記廃棄物回収袋の重量を測定するための電子秤と、撮影機能付き通信端末とからなり、
前記撮影機能付き通信端末は、
撮影された前記廃棄物回収袋の撮影画像、撮影日時、撮影機能付き通信端末のＩＤを含む撮影送信情報を前記住宅業者サブシステムに送信する手段を備え、
前記携帯端末は、
回収指示の入力後に、前記ＩＣタグのタグ番号及び前記電子秤からの重量を受信したとき、これらに前記撮影機能付き通信端末のＩＤ、回収日時、入力された車輌番号、廃棄物の種類及び運搬担当者情報を付加したタグ毎回収時携帯端末取込情報を記憶する手段と、
荷降し指示の入力後に、前記ＩＣタグのタグ番号及び前記電子秤からの重量を受信したとき、これらに少なくとも前記撮影機能付き通信端末のＩＤを付加したタグ毎荷降時携帯端末取込情報を記憶する手段とを備え、
前記産廃業者サブシステムは、産廃業者端末を備え、
前記産廃業者端末は、
前記携帯端末が記憶している前記タグ毎回収時携帯端末取込情報及び前記タグ毎荷降時携帯端末取込情報とを受信して産廃業者携帯端末送信情報として前記住宅業者サブシステムに送信する手段を備え、
前記住宅業者サブシステムは、
基幹サーバを備え、該基幹サーバは、
前記現場端末サブシステムの前記撮影機能付き通信端末から前記撮影送信情報を受信して記憶する手段と、
前記産廃業者端末からの前記産廃業者携帯端末送信情報を受信して記憶する手段と、
前記産廃業者携帯端末送信情報の前記回収日時と前記撮影機能付き通信端末のＩＤを読み込み、この撮影機能付き通信端末のＩＤを有し、かつ前記回収日時に対して直前の撮影日時を有する前記撮影送信情報に含まれる前記撮影画像を抽出する手段と、
前記抽出した撮影画像を、前記回収日時を有する前記産廃業者携帯端末送信情報に関連付け、これを住宅業者廃棄物確認情報として記憶する手段と
を有することを特徴とする廃棄物管理システム。
【請求項２】
前記携帯端末は、
前記荷降し指示の入力後に、荷降日時を前記タグ毎荷降時携帯端末取込情報に付加して送信する手段をさらに備えることを特徴とする請求項１記載の廃棄物管理システム。
【請求項３】
前記産廃業者サブシステムは、前記携帯端末を接続するための接続端末を備え、かつこの接続端末は、前記産廃業者端末に接続され、
前記携帯端末が接続されたとき、産廃業者端末に前記タグ毎荷降時携帯端末取込情報を送出することを特徴とする請求項１又は２記載の廃棄物管理システム。
【請求項４】
前記携帯端末は、
近距離小電力無線通信機能を有し、前記タグ毎荷降時携帯端末取込情報を前記近距離小電力無線通信機能で前記産廃業者端末に送信することを特徴とする請求項１又は２記載の廃棄物管理システム。
【請求項５】
前記住宅業者サブシステムは、初期設定用端末及び前記建築物を管轄する支店に支店端末をさらに備え、
該初期設定用端末は、
前記産廃業者に事前に配布する前記携帯端末に設定する前記電子秤の電子秤端末ＩＤ、前記電子秤の通信アドレス並びに携帯端末番号と、前記産廃業者に事前に配布する前記電子秤に設定する前記携帯端末の携帯端末番号、通信アドレス、前記電子秤端末ＩＤと、前記支店に事前に配布する前記撮影機能付き通信端末に設定する撮影機能付き通信端末のＩＤを管理する手段を有し、
前記支店端末は、
前記現場に備えるため配布された前記撮影機能付き通信端末ＩＤに前記建築物の物件番号を事前に紐付け、登録する手段
を有することを特徴とする請求項１乃至４のいずれかに記載の廃棄物管理システム。
【請求項６】
前記初期設定用端末によって、
前記携帯端末には、前記産廃業者から知らせられた複数の車輌番号、運搬担当者並びに廃棄物種類のコードが設定されて、前記産廃業者に配布されることを特徴とする請求項１乃至５のいずれかに記載の廃棄物管理システム。
【請求項７】
前記住宅業者サブシステムは、電子データ交換サーバをさらに備え、
前記基幹サーバは、
前記産廃業者携帯端末送信情報の内で前記日本産業廃棄物処理振興センターのマニフェストに基づく項目を該日本産業廃棄物処理振興センターへの情報として生成し、これを前記電子データ交換サーバによって前記日本産業廃棄物処理振興センターのサーバに送信させることを特徴とする請求項１乃至６のいずれかに記載の廃棄物管理システム。
【請求項８】
前記基幹サーバは、
複数のタグ毎荷降時携帯端末取込情報の内で、同じ撮影機能付き通信端末のＩＤ、車輌番号、運搬担当者、荷降日時を有するタグ毎荷降時携帯端末取込情報を集め、これらの内で同じ廃棄物種類の重量の総量を求める手段
をさらに有することを特徴とする請求項１乃至７のいずれかに記載の廃棄物管理システム。
【請求項９】
前記産廃業者は、
収集運搬業者、中間処理業者、最終処分業者を含むことを特徴とする請求項１乃至８のいずれかに記載の産廃物管理システム。
【発明の詳細な説明】
【技術分野】
【０００１】
本発明は、廃棄物管理システムに関し、特に新築、建替、リフォームにおいて工程毎に発生する産業廃棄物が収集業者に収集された後で産廃処分業者（総称して産廃業者ともいう）に渡されるまでの廃棄物の流れを一括管理すると共に、廃棄物を画像で管理する廃棄物管理システムに関する。
【背景技術】
【０００２】
一般に住宅を建設する場合や解体には、多種多様な産業廃棄物（以下単に廃棄物という）が発生する。例えば、新築現場では１現場当たり約３００袋（建設面積、敷地面積により増減）の廃棄物が発生する。
【０００３】
そして、この廃棄物を廃棄するためには、現場担当者が廃棄物が満杯になる頃合を見計らって収集運搬業者に連絡し、廃棄物回収の日時を決定する。そして、現場担当者の立会いのもと、廃棄物を回収してもらう。
【０００４】
つまり、廃棄物の回収の日時の決定は、廃棄物の収集業者の都合がつく日時と、立会いする現場担当者の都合がつく日時とで決定している。
【０００５】
このため、現場担当者は、現場立会いの時期を、住宅建設又は解体の作業予定よりも優先せざるを得ない場合もあった。
【０００６】
また、住宅を建設する時や解体する際に発生する廃棄物は、廃掃法（廃棄物の処理及び清掃に関する法律）に基づいて、適切な処置を行わなければならない。
【０００７】
このため、現在、建設系廃棄物処理の大半が紙マニフェストにより運用・管理（マニフェスト制度）されている。
【０００８】
このマニフェスト制度は、排出業者が廃棄物の処理を委託するときに、紙マニフェストに廃棄物の種類、数量、運搬業者名等を記入し、業者から業者へ、廃棄物と共に紙マニフェストを渡しながら、処理の流れを確認するものである。
【０００９】
このマニフェスト制度により、それぞれの処理後に、排出業者が各業者から処理終了を記載した産業廃棄物管理表（以下紙マニフェストという）を受け取ることで、委託内容どおりに廃棄物が処理されたことを確認できる。これによって、不適切な処理により環境汚染や、社会問題になっている不法投棄を未然に防ぐことができる。
【００１０】
この紙マニフェストは複数枚であり、それぞれに手書きで廃棄物の種類、出場所等を記載しなければならない。また、手書きであるから改ざんも行われやすく、依然として不法投棄がある。このため、特開平８−２７７０２０号（特許文献１）に示すように近年は自動的に紙マニフェスト（電子マニフェスト）を作成するものもある。
【００１１】
しかし、特許文献１は、マニフェスト情報を記憶したＩＣカードをトラック（廃棄物を搭載したトラック）と共に運ぶものであり、廃棄物単位で管理するものではない。
【００１２】
例えば、特開２００６−２１５８５７号（特許文献２）は、ＩＣタグを廃棄物容器に貼り付けて廃棄物単位で管理が可能であることが開示されている。
【００１３】
この特許文献２は、ＩＣタグ付き廃棄物容器に付設されたＩＣタグのタグ情報をハンディターミナルで読み取り、この読み取り情報を携帯電話機に送信し、携帯電話機は現在位置を付加してデータ管理センターに送信する。
【００１４】
データ管理センターでは、受け取ったタグ情報（種類、重量など）の廃棄物を回収できる回収業者の回収予定日時をハンディターミナルに送信する。
【００１５】
また、特開２００４−２７７０６０号（特許文献３）には、ＪＷＮＥＴ（Ｊａｐａｎ  ｗａｓｔｅ  Ｎｅｔｗｏｒｋ：財団法人日本産業廃棄物処理振興センターが運用する電子マニフェストシステム）を用いることで、関係者が容易に電子マニフェストを参照できることが開示されている。
【００１６】
一方、廃棄物に対しての処分費は、単純に廃棄物の規模（ｍ３）に、一定の算出式をあてはめて算出された数量にて処分費が支払われている。
【先行技術文献】
【特許文献】
【００１７】
【特許文献１】特開平８−２７７０２０号公報
【特許文献２】特開２００６−２１５８５７号公報
【特許文献３】特開２００４−２７７０６０号公報
【発明の概要】
【発明が解決しようとする課題】
【００１８】
住宅建築、解体等においては、各工程毎に廃棄物が多数でると共に、その種類もまちまちである。例えば、木屑などは容積が大きいが重量は軽い。また、重量の軽いもの、重いものかさばるものなどが廃棄物回収袋（フレコンバック）に混在したり、例え分別されていても詰め込みが甘かったりとなっていた。
【００１９】
しかしながら、従来は単に廃棄物の規模（容量又は廃棄物回収袋の数）に一定の算出式に基づいた値を処分費としている。
【００２０】
つまり、排出業者が収集運搬業者に支払う廃棄物処分費は実際の廃棄物排出量に対応した処分費ではなく、目視によるかさ容量で決定されており、重量で決定される実際の廃棄物処分費との差が生じていた。
【００２１】
また、各工程毎に出る廃棄物は、その都度、決定した日時に、処理業者が回収して、処分場に運んでいく（マニフェストが生成される）が、依然として不法投棄はなくならない。つまり、ＩＣタグによる電子マニフェスト管理であっても、現場だけの目視による荷姿の確認だけでは十分ではない。
【００２２】
なお、平成１８年度分の環境省報告によると、不法投棄された廃棄物件数の７２．６％、投棄量では６８％を建設系廃棄物が占めており、この撲滅は重要な課題となっている。
【００２３】
従って、住宅建設の工程毎に、どんな廃棄物がどの程度出たかを画像で確認したうえで電子マニフェストで管理して、全量が確実に処理場に到着したかを管理できるのが望ましい。
【００２４】
また、廃棄物の回収に現場担当者が立ち会えなくとも何時どのような廃棄物を、どこの物件からどの業者が回収していったかを画像で一元管理できるのが望ましい。
【課題を解決するための手段】
【００２５】
本発明は、現場にて排出される建築物の廃棄物を、運搬担当者により産廃業者に運搬しながら管理するために、現場サブシステムと、産廃業者サブシステムと、前記建築物を建設する住宅業者の住宅業者サブシステムと、日本産業廃棄物処理振興センターのサーバとを通信ネットワークで接続して電子マニフェスト情報を前記日本産業廃棄物処理振興センターのサーバに登録すると共に、前記廃棄物の撮影画像を所定の情報と共に、前記住宅業者サブシステムで管理する廃棄物管理システムである。
【００２６】
前記現場サブシステムは、
前記現場にて排出される前記廃棄物を収納した廃棄物回収袋に取付けられたＩＣタグと、携帯端末と、前記廃棄物回収袋の重量を測定するための電子秤と、撮影機能付き通信端末とからなり、
前記撮影機能付き通信端末は、
撮影された前記廃棄物回収袋の撮影画像、撮影日時、撮影機能付き通信端末のＩＤを含む撮影送信情報を前記住宅業者サブシステムに送信する手段を備え、
前記携帯端末は、
回収指示の入力後に、前記ＩＣタグのタグ番号及び前記電子秤からの重量を受信したとき、これらに前記撮影機能付き通信端末のＩＤ、回収日時、入力された車輌番号、廃棄物の種類及び運搬担当者情報を付加したタグ毎回収時携帯端末取込情報を記憶する手段と、
荷降し指示の入力後に、前記ＩＣタグのタグ番号及び前記電子秤からの重量を受信したとき、これらに少なくとも前記撮影機能付き通信端末のＩＤを付加したタグ毎荷降時携帯端末取込情報を記憶する手段とを備え、
前記産廃業者サブシステムは、産廃業者端末を備え、
前記産廃業者端末は、
前記携帯端末が記憶している前記タグ毎回収時携帯端末取込情報及び前記タグ毎荷降時携帯端末取込情報とを受信して産廃業者携帯端末送信情報として前記住宅業者サブシステムに送信する手段を備え、
前記住宅業者サブシステムは、
基幹サーバを備え、該基幹サーバは、
前記現場端末サブシステムの前記撮影機能付き通信端末から前記撮影送信情報を受信して記憶する手段と、
前記産廃業者端末からの前記産廃業者携帯端末送信情報を受信して記憶する手段と、
前記産廃業者携帯端末送信情報の前記回収日時と前記撮影機能付き通信端末のＩＤを読み込み、この撮影機能付き通信端末のＩＤを有し、かつ前記回収日時に対して直前の撮影日時を有する前記撮影送信情報に含まれる前記撮影画像を抽出する手段と、
前記抽出した撮影画像を、前記回収日時を有する前記産廃業者携帯端末送信情報に関連付け、これを住宅業者廃棄物確認情報として記憶する手段と
を備えたことを要旨とする。
【発明の効果】
【００２７】
以上のように本発明によれば、現場側に配置した撮影機能付き通信端末（通信カメラ）によって、現場担当者により廃棄物が収納されたＩＣタグ付きの廃棄物回収袋を撮影させて建築物の住宅業者の基幹サーバに送信させる。また、回収時には運搬担当者が携帯する電子秤により廃棄物回収袋の重量を計測して、携帯端末でこの重量とＩＣタグのタグ番号、撮影機能付き通信端末のＩＤ、車輌番号、運搬担当者等をタグ毎回収時携帯端末取込情報として記憶する。
【００２８】
そして、産廃業者側に運んで降したときに、携帯端末によって再びタグ番号を読み取り、電子秤によって重量を計測させて、廃棄物の分別評価を行い、これらをタグ毎荷降時携帯端末取込情報として携帯端末に登録する。
【００２９】
また、産廃業者は、多数のタグ毎荷降時携帯端末取込情報内の廃棄物種毎の総重量を計測して、この計測値を組み合わせた産廃業者携帯端末送信情報として基幹サーバに送信し、基幹サーバでは、産廃業者携帯端末送信情報の回収日時に対して直前の撮影日時を有する撮影機能付き通信端末からの撮影送信情報を引当、この撮影画像を産廃業者携帯端末送信情報に紐付けて住宅業者廃棄物確認情報として管理する。
【００３０】
このため、この産廃業者携帯端末送信情報と撮影画像とから、何時、誰がどんな車で運んで廃棄物回収袋を降ろしたかを直ぐに分ると共に、撮影画像によって、廃棄物の種類、容量等が、適切かどうかを判断できる。
【図面の簡単な説明】
【００３１】
【図１】本実施の形態の廃棄物管理システムの概略構成図である。
【図２】中央センター３１０の概略構成図である。
【図３】基幹サーバ３１１の概略構成図である。
【図４−１】基幹基本情報を説明する説明図である。
【図４−２】基幹基本情報を説明する説明図である。
【図５】廃棄物分類コードを説明する説明図である。
【図６】本実施の形態の廃棄物追跡管理システムの動作を説明するシーケンス図である。
【図７】本実施の形態の廃棄物追跡管理システムの動作を説明するシーケンス図である。
【図８】本実施の形態の廃棄物追跡管理システムの動作を説明するシーケンス図である。
【図９】運搬車輌情報Ａ１及び運搬担当者情報Ａ２を説明する説明図である。
【図１０】ＨＴ用情報を説明する説明図である。
【図１１】通信カメラ初期設定情報を説明する説明図である。
【図１２】ＩＣタグ付きの廃棄物回収袋の撮影画像を説明する説明図である。
【図１３】通信カメラ送信情報を説明する説明図である。
【図１４】ＨＴの回収時の処理の流れを画面で説明する説明図である。
【図１５−１】ＨＴの回収時の処理の流れを画面で説明する説明図である。
【図１５−２】ＨＴの回収時の処理の流れを画面で説明する説明図である。
【図１６】タグ毎回収時ＨＴ取込情報を説明する説明図である。
【図１７−１】ＨＴの荷降時の処理の流れを画面で説明する説明図である。
【図１７−２】ＨＴの荷降時の処理の流れを画面で説明する説明図である。
【図１８】タグ毎荷降時ＨＴ取込情報を説明する説明図である。
【図１９】産廃業者ＨＴ送信情報を説明する説明図である。
【図２０】産廃ヘッダ情報及びＨＴ明細情報を説明する説明図である。
【図２１】産業回収写真付き情報を説明する説明図である。
【図２２】産廃回収品目集計情報を説明する説明図である。
【図２３】ＪＷＮＥＴ登録情報を説明する説明図である。
【図２４】ＪＷＮＥＴ運搬終了報告情報を説明する説明図である。
【図２５】住宅業者産廃確認情報を説明する説明図である。
【発明を実施するための形態】
【００３２】
本実施の形態は、撮影機能付き通信端末によって撮影された廃棄物の荷姿写真と廃棄物毎のＩＣタグ情報・邸別データ、さらに電子秤による実測重量データをハンディターミナル経由で統合管理するシステムであり、廃棄物の回収段階・処分段階の各日時情報と重量データを保持・突合せすることで正確なトレーサアビリティを実現することで不法投棄の撲滅に寄与するものである。
【００３３】
本実施の形態は、新築住宅において出る廃棄物を一例として説明する。また、撮影機能付き通信端末（例えば携帯電話機を含む）は、本実施の形態では通信機能付きデジタルカメラを一例として説明する。
【００３４】
図１は本実施の形態の廃棄物管理システムの概略構成図である。廃棄物管理システム（廃棄物トレースシステムともいう）は、図１に示すように、現場サブシステム１０と産廃業者サブシステム２０（中間処分業者又は廃棄物収集運搬業者）と住宅業者サブシステム３０と日本産業廃棄物処理振興センターのサーバ４０（以下ＪＷＮＥＴサーバ４０という）と処分業者サブシステム５０（中間処分業者及び最終処分業者を含む）とを通信ネットワーク６０で接続して、現場サブシステム１０で排出された廃棄物の撮影画像を通信ネットワーク６０を介して住宅業者サブシステム３０に送信して管理する。
【００３５】
（概要）
現場サブシステム１０は、廃棄物が入れられた廃棄物回収袋１１に貼り付けられたＩＣタグ１２と、電子秤１３と、通信機能付きデジタルカメラ１４（以下通信カメラ１４という）と、携帯端末（ハンディーターミナル）１５（以下ＨＴ１５という）等を備えている。
【００３６】
ＩＣタグ１２は、予め住宅業者から現場担当者又は運搬担当者に送付されている。また、通信カメラ１４は予め住宅業者から現場担当者に送付されている。さらに、ＨＴ１５と電子秤１３とは、産廃業者に予め住宅業者から送付され、産廃業者の運搬担当者が回収時においてＨＴ１５と電子秤１３とを現場に持ち込む。このＨＴ１５はＢｌｕｅｔｏｏｔｈ機能（小電力近接無線通信機能）を有してもよいが、本実施の形態ではＢｌｕｅｔｏｏｔｈに代えて後述するクレイドルに接続されたときにメモリのデータを出力する機能を有するものとする。
【００３７】
そして、現場担当者が廃棄物回収袋１１を一箇所に纏めて、ＩＣタグ１２を廃棄物回収袋１１に取付ける。次に、産廃業者が通信カメラ１４を用いてこれらの廃棄物回収袋１１を撮影する（回収時の廃棄物回収袋全体の姿：荷姿）。このとき、少なくとも撮影日時、通信カメラＩＤ、通信カメラ１４の位置情報（ＧＰＳ）、等と共に撮影画像が住宅業者サブシステム３０にメール添付で送信される（通信カメラ送信情報という）。
【００３８】
写真撮影後、現場には、産廃業者の運搬担当者がＨＴ１５と電子秤１３とを持ち込み、このＨＴ１５によって、現場に置かれている通信カメラ１４のＩＤを登録し、廃棄物回収袋１個毎にＨＴ１５によってＩＣタグ１２のタグ番号（ユニークコード）を読み込み、かつ１個毎に電子秤１３で廃棄物回収袋１１の重量を計測させて車輌に搭載する。この電子秤１３で計測された重量はＨＴ１５に送信され、ＨＴ１５がタグ番号毎に、回収日時、重量、運搬業者情報（産廃業者、運搬担当者、車輌番号）、通信カメラＩＤ等と共にタグ毎回収時ＨＴ取込情報としてＨＴ１５の内部メモリに記憶する。
【００３９】
一方、産廃業者サブシステム２０は、産廃業者端末２１とＨＴ１５を接続するための接続端末２２（以下クレイドル２２という）等を備えている。
【００４０】
運搬担当者は、回収した廃棄物回収袋１１（多数）を車輌によって産廃業者に持ち込み降ろす（ＨＴ１５と電子秤１３も同時に持ち込む）。そして、１袋毎にＨＴ１５でＩＣタグ１２のタグ番号を読取り、かつ電子秤１３で重量を計測し、廃棄物の分別評価情報を登録する。このとき、ＨＴ１５がタグ番号毎に、重量と荷降日時、運搬業者情報、廃棄物分別評価情報等をタグ毎荷降時ＨＴ取込情報としてＨＴ１５の内部メモリに記憶する。
【００４１】
そして、全てのＩＣタグ１２及び廃棄物回収袋の重量がＨＴ１５に記憶されると、運搬担当者はクレイドル２２にＨＴ１５を接続する。ＨＴ１５は産廃業者端末２１にＨＴ１５の内部メモリの取込情報を全て送信し、産廃業者端末２１は、これらのタグ毎回収時ＨＴ取込情報及びタグ毎荷降ＨＴ取込情報を産廃業者ＨＴ送信情報として通信ネットワーク６０を介して住宅業者サブシステム３０に送信する。
【００４２】
つまり、産廃業者サブシステム２０からは、何時誰がどんな車輌でどんな廃棄物をどの程度の量を何処から回収したかという情報と、何時誰がどんな車輌でどんな廃棄物をどの程度の量を何処で降ろしたかという情報とを住宅業者サブシステム３０の中央センター３１０に送信していることになる。
【００４３】
このため、住宅業者側では回収した廃棄物の重量、種類が正しく全て降ろされたか、また廃棄物の分別が適正であったかを把握できることになる。
【００４４】
また、処分業者サブシステム５０は、処分業者端末５１を備えるが、産廃業者サブシステム２０に代わって、ＨＴ１５を接続するためのクレイドル２２を備え、産廃業者端末２１に代わって処分業者端末５１を用いて、上述した産廃業者サブシステム２０の操作を処分業者サブシステム５０で行ってもよい。
【００４５】
したがって、本発明は、産廃業者サブシステム２０と処分業者サブシステム５０の処理機能分担がいかなる組み合わせでも実施可能である。
【００４６】
一方、住宅業者サブシステム３０は、少なくとも基幹サーバ３１１、電子データ交換（ＥＤＩ）サ−バ３１２等を有する中央センター３１０と、初期設定用端末３２１（以下端末３２１ともいう）等を有する情報システム社３２０と、端末３３１等を有する本社３３０と、支店端末３４１等を有する支店３４０等を備えて、専用回線７０（ＬＡＮ）で接続されている。
【００４７】
前述の情報システム社３２０では、端末３２１が顧客コード（物件コード）、支店番号、車輌番号、産廃業者、担当者等を記憶している中央センターの基幹サーバ３１１を参照し、電子秤１２、ＨＴ１５、通信カメラ１４に初期情報を設定する。そして、住宅業者に通信カメラ１４を送付し、電子秤１３、ＨＴ１５を産廃業者に送付する。
【００４８】
後述する図３の基幹サーバ３１１の概略構成図に示すように、基幹サーバ３１１は、物件情報、産廃業者情報、処分業者情報等からなる基幹基本情報Ｈを予め記憶している。
【００４９】
そして、現場サブシステム１０からの通信カメラ送信情報を基幹サーバ３１１が記憶した後に、廃棄業者サブシステム２０からの産廃業者ＨＴ送信情報Ｄを受信したとき、この産廃業者ＨＴ送信情報Ｄの通信カメラＩＤを有する通信カメラ送信情報を全て検索する。
【００５０】
そして、産廃業者ＨＴ送信情報Ｄに含まれている全てのタグ毎回収ＨＴ取込情報の回収日時に対して直前の撮影日時を有する通信カメラ送信情報の撮影画像（写真画像ともいう）を、現場（物件又は顧客）からその回収日時直前に回収されたその運搬業者情報（産廃業者、運搬担当者、車輌番号）の廃棄物回収袋全て（多数纏められている）の写真画像として抽出する。
【００５１】
そして、これを産廃業者ＨＴ送信情報Ｄの所定の情報（通信カメラＩＤ、引渡し日、見かけ容量・・：産廃ヘッダ情報Ｄ１という）にリンク付けすると共に、通信カメラＩＤに関連付けられている物件コードを付加した産廃回収写真付き情報Ｅ１を記憶する。
【００５２】
さらに、産廃業者ＨＴ送信情報Ｄの所定の情報（明細番号、タグ番号、通信カメラＩＤ、引渡し日、回収日時、荷降日時、数量、重さ、廃棄物種類・・：ＨＴ明細情報Ｄ２）にリンク付けした産廃回収品目集計情報Ｅ２を記憶する。
【００５３】
そして、産廃ヘッダ情報Ｄ１及びＨＴ明細情報Ｄ２に含まれている物件コード、引渡し日、廃棄物種類、荷姿にＪＷＮＥＴで規定している所定の情報を付加した情報Ｆ（ＪＷＮＥＴ排出登録情報Ｆ）を生成し、ＪＷＮＥＴに登録及びＪＷＮＥＴ運搬終了報告情報Ｇを生成してＪＷＮＥＴサーバ４０に送信する（マニフェスト番号がＪＷＮＥＴ側で付加される）。
【００５４】
図２は中央センター３１０の概略構成図である。中央センター３１０は、図２に示すように、Ｗｅｂサーバ３１３と、メールサーバ３１４と、基幹サーバ３１１と、ＥＤＩサ−バ３１２と、端末３１５等からなり、これらがＬＡＮ７０によって接続されている。
【００５５】
図３に示すように、基幹サーバ３１１は、第１の記憶手段３１１ａと、第２の記憶手段３１１ｂと、第３の記憶手段３１１ｃと、第４の記憶手段３１１ｄと、第５の記憶手段３１１ｅと、第６の記憶手段３１１ｆと、第７の記憶手段３１１ｇ、第８の記憶手段３１１ｈ、第９の記憶手段３１１ｉ等の記憶手段を備えている。
【００５６】
また、基幹サーバ３１１は、通信カメラ情報取込部３１１ｊと、写真画像検索部３１１ｋと、写真画像リンク付部３１１ｐと、ＨＴ送信情報取込部３１１ｍと、産廃ヘッダ・ＨＴ明細作成部３１１ｑと、集計部３１１ｒと、ＪＷＮＥＴ登録用情報作成部３１１ｓと、ＪＷＮＥＴ運搬終了報告情報作成部３１１ｔと、送出部３１１ｖ等を備えている。
【００５７】
（各記憶手段の説明）
第１の記憶手段３１１ａは、図４−１（ａ）に示すように、物件基本情報Ｈ１（物件コード、物件名、工事所管・・）と物件情報Ｈ３（物件コード、生産窓口、・・・）と管理情報Ｈ４と業者情報Ｈ５（事業所コード・・）等からなる基本基幹情報Ｈと、図４−２（ｂ）に示すように、廃棄物品目情報Ｈ６、荷姿コード情報Ｈ７、支店情報Ｈ８、処分方法情報Ｈ９等を記憶している。また、図４−２（ｃ）に示すように収集運搬業者―処分業者紐付け情報Ｈ１０、所管読替情報Ｈ１１を記憶している。さらに、この他に処分業者情報、再委託業者等の情報を記憶している。
【００５８】
前述の廃棄物品目情報Ｈ６は、産業廃棄物の大分類コード、中分類コード等（廃棄物品目種）からなる（図５参照）。
【００５９】
第２の記憶手段３１１ｂは、後述する情報システム社３２０で生成されたＨＴ用情報、通信カメラ用情報、収集業者（運搬業者ともいう）−処分業者紐付け情報等を記憶している。
【００６０】
第３の記憶手段３１１ｃには後述する通信カメラ送信情報Ｃが記憶されている。第４の記憶手段３１１ｄには、後述する産廃業者側ＨＴ送信情報Ｄが記憶される。
【００６１】
第５の記憶手段３１１ｅには、後述する産廃ヘッダ情報Ｄ１、ＨＴ明細情報Ｄ２が記憶される。第６の記憶手段３１１ｆには、後述する産廃回収写真付き情報Ｅ１が記憶される。第７の記憶手段３１１ｇには後述する産廃回収品目集計情報Ｅ２が記憶される。
【００６２】
第８の記憶手段３１１ｈには、後述するＪＷＮＥＴ排出登録情報Ｆが記憶される。また、第９の記憶手段３１１ｉにはＪＷＮＥＴ運搬終了情報Ｇ等が記憶される。
【００６３】
（各部の説明）
通信カメラ画像情報取込部３１１ｊは、通信カメラ１４からの通信カメラ送信情報Ｃを受信して、これを第３の記憶手段３１１ｃに記憶する。
【００６４】
ＨＴ送信情報取込部３１１ｍは、産廃業者２０から送信された産廃業者側ＨＴ送信情報Ｄを第４の記憶手段３１１ｄに記憶する。
【００６５】
産廃ヘッダ・ＨＴ明細作成部３１１ｑは、第４の記憶手段３１１ｄに記憶されている産廃業者ＨＴ送信情報Ｄに基づいて１回収毎の産廃ヘッダ情報Ｄ１を作成すると共に、１袋毎のＨＴ明細情報Ｄ２を生成し、これらを第５の記憶手段３１１ｅに記憶する。
【００６６】
写真画像検索部３１１ｋは、第４の記憶手段３１１ｄに記憶された産廃業者側ＨＴ送信情報Ｄに含まれているタグ毎回収時ＨＴ読取情報の回収日時、通信カメラＩＤ、運搬車輌番号、運搬担当者、タグ番号等を抽出する。そして、この通信カメラＩＤを有する通信カメラ送信情報Ｃを第３の記憶手段３１１ｃから全て検索し、これらの中から回収日時に対して直前の回収日時を有する通信カメラ送信情報Ｃを引き当てる。
【００６７】
写真画像リンク付部３１１ｐは、第３の記憶手段３１１ｃから引き当てられた通信カメラ送信情報Ｃに含まれている写真画像に第５の記憶手段３１１ｅに記憶されている産廃ヘッダ情報Ｄ１（ヘッダ番号、通信カメラＩＤ・・）を付加した産廃回収写真付き情報Ｅ１を生成して第６の記憶手段３１１ｆに記憶する。
【００６８】
集計部３１１ｒは、第５の記憶手段３１１ｅの産廃ヘッダ情報Ｄ１の引渡し日（廃棄物を回収したときの日時）及び通信カメラＩＤを有するＨＴ明細情報Ｄ２を全て読み込んで、廃棄物の種類毎に数等を集計し、この集計結果を第７の記憶手段３１１ｇに記憶（産廃回収品目集計情報Ｅ２）する。
【００６９】
ＪＷＮＥＴ登録用情報作成部３１１ｓは、第７の記憶手段３１１ｇに記憶されている産廃回収品目集計情報Ｅ２の物件コード、引渡し日、・・を読み込み、かつ第１の記憶手段３１１ａ及び第２の記憶手段３１１ｂからＪＷＮＥＴに登録するための所定の情報を読み込んで組み合わせたＪＷＮＥＴ排出登録情報Ｆを生成して第８の記憶手段３１１ｈに記憶する。
【００７０】
ＪＷＮＥＴ運搬終了報告情報作成部３１１ｔは、ＪＷＮＥＴ排出登録情報Ｆを元にした
ＪＷＮＥＴ運搬終了報告情報Ｇ（物件コード、引渡し日、廃棄物種類、車輌番号、運搬量、運搬担当者・・）を第９の記憶手段３１１ｉに記憶する。
【００７１】
送出部３１１ｖは、第９の記憶手段３１１ｉのＪＷＮＥＴ運搬終了報告情報Ｇとを所定の形式にしてＥＤＩサーバ３１２に出力して、ＪＷＮＥＴサーバ４０に送信させる（ＪＷＮＥＴ側ではマニフェスト番号を付加する）。
【００７２】
（全体説明）
図６、図７及び図８は本実施の形態の廃棄物追跡管理システムの動作を説明するシーケンス図である。本実施の形態では産廃業者を１業者、ＨＴ１５及び電子秤１３、ＩＣタグ１２は１個として説明する。
【００７３】
図６に示すように、情報システム社３２０の担当者は、ＨＴ１５と電子秤１３とを多数入手して、ＨＴ１５を操作して電子秤１３の底面に記載されている電子秤端末ＩＤと通信アドレス並びに携帯端末番号をＨＴ１５に登録し、一方、電子秤１３にＨＴ１５の携帯端末番号と通信アドレス並びに電子秤端末ＩＤを登録し、互いのリンク付けを行う（ｄ１）。この登録データはＥＸＣＥＬで初期設定用端末３２１（情報システム社３２０）に登録して管理している。
【００７４】
そして、情報システム社３２０の担当者は、このＨＴ１５と電子秤１３とを、顧客の住宅の廃棄物の運搬を担当する産廃業者に送る（ｄ２）。
【００７５】
また、情報システム社３２０には、全国の支店又は産廃業者（本実施の形態では産廃業者）から、多数の産廃車輌の車輌番号、運搬担当者名等が事前にファックス又は電話、Ｅメールで通知されている（ｄ３）。
【００７６】
情報システム社３２０の担当者は、端末３２１を操作して産廃業者からの情報を入力するための表（図示せず）を開いて、組織コード（産廃業者コード）、知らせられた全ての車輌番号、運搬担当者を入力し（ｄ４）、これを専用回線７０を介して中央センター３１０の基幹サーバ３１１に送信して登録させる（ｄ５）。すなわち、基幹サーバ３１１の第２の記憶手段３１１ｂには、図９に示すような運搬車輌情報Ａ１及び運搬担当者情報Ａ２が登録される。
【００７７】
次に、情報システム社３２０の担当者は、初期設定用端末３２１を操作してＪＷＮＥＴ廃棄物分類コード（廃棄物種類分類コード）、廃棄物名、廃棄物略称を入力するための表（図５参照）を開いて入力する（ｄ６）。
【００７８】
また、収集運搬業者ＪＷＮＥＴ加入者番号、収集運搬業者名を入力するための表（図示せず）を開いて入力し（ｄ７）、さらに、ＪＷＮＥＴ荷姿コード、荷姿名（バラ、袋）を入力するための表（図示せず）を開いて入力し（ｄ８）、さらに管理者用パスワードを入力するための表（図示せず）を開いて入力し（ｄ９）、これらを一組（総称してＨＴ用情報という；図１０参照）にして第２の記憶手段３１１ｂに登録した後で通信ネットワーク６０を介して産廃業者端末２１に送信する（ｄ１０）。無論、産廃業者が他に存在する場合は、ＨＴ用情報はその産廃業者用に作成されて、それがその産廃業者に送信される。
【００７９】
一方、産廃業者の運搬担当者は、住宅業者から渡されたＨＴ１５をクレイドル２２に接続し、産廃業者端末２１が中央センター３１０の基幹サーバ３１１から受信したＨＴ用情報をＨＴ１５に登録する（ｄ１１ａ）。
【００８０】
従って、産廃業者は住宅業者サブシステム３０からのＨＴ用情報を受信して登録するのみであるから、基幹サーバ３１１に入り込んでＨＴ用情報を変えることができない。このため、不正防止に効果がある。
【００８１】
さらに、情報システム３２０社の担当者は、通信カメラ１４（通信カメラ端末ＩＤ付き：通信カメラＩＤ）を支店３４０に送付する（ｄ１２）。
【００８２】
一方、支店３４０の担当者は、支店端末３４１を操作して基幹サーバ３１１にアクセスして、図４に示す各種情報を画面に表示し、顧客コードと支店コードを通信カメラＩＤに紐付けて（通信カメラ初期設定情報Ｍ１１という：図１１参照）通信ネットワーク６０を介して登録する（ｄ１４）。
【００８３】
この通信カメラ初期設定情報Ｍ１１は、図１１に示すように通信カメラＩＤ（通信端末固有番号）・・・・顧客コード、削除フラグＦ等からなる。削除フラグＦは、通信カメラ１４を他の物件に使用する場合に、これらのデータを削除するために使用する。
【００８４】
また、支店３４０の担当者は、支店端末３４１を操作して基幹サーバ３１１にフォルダ業務名称設定情報Ｍ１２を専用回線７０を介して登録（図１１参照）する（ｄ１５）。
【００８５】
このフォルダ業務名称設定情報Ｍ１２は、通信カメラＩＤ（通信端末固有番号）と枝番号とフォルダＩＤと業務名称と顧客コードと状態Ｆ（フラグ）等からなる。
【００８６】
フォルダＩＤは「１」〜「１０」の固有番号であり、「１」は生産担当・工務店担当業のフォルダ、・・「０５」は空調工事業者のフォルダ、「１０」が産廃業者のフォルダとされる。本実施の形態では「１０」が登録される。
【００８７】
状態Ｆ（フラグ）は、通信カメラ１４の使用中又は未使用或いは使用不可を示すフラグである。
【００８８】
そして、支店端末３４１は、この通信カメラ初期設定情報Ｍ１１及びフォルダ業務名称設定情報Ｍ１２を専用回線７０を介して基幹サーバ３１１に送信して登録する。
【００８９】
すなわち、基幹サーバ３１１には、図１１に示す通信カメラ初期設定情報Ｍ１１とフォルダ業務名称設定情報Ｍ１２とが登録されることになる。
【００９０】
次に、支店３４０からこの通信カメラ１４を現場担当者に送付し、現場担当者は備品収納箱（ビルダＢＯＸ）にこの通信カメラ１４を保管する（ｄ１８）。
【００９１】
また、支店３４０の担当者は、タグ番号（ユニークコード）を記憶したＩＣタグ１２を現場担当者に送付する（ｄ１９）。
【００９２】
次に、現場担当者は、廃棄物が出る毎に廃棄物回収袋１１に廃棄物を入れて、廃棄物回収袋１１にＩＣタグ１２を取付けておく（ｄ２０）。
【００９３】
そして、図１２に示すように廃棄物を入れた廃棄物回収袋がたまってきたときに、図７に示すように、運搬担当者（現場担当者でもよい）が通信カメラ１４によって撮影する。
【００９４】
通信カメラ１４は、撮影キーが押されると、撮影した写真画像を内部メモリに記憶する（ｄ２２）。このとき、写真番号を付加して記憶する。
【００９５】
次に、通信カメラ１４は、送信ボタンが押されると、内部メモリに記憶している撮影画像を添付ファイルにして中央センター３１０の基幹サーバ３１１に送信して登録させる（ｄ２３ａ）。このとき、メールＩＤ、送信日時、・・メール本文等（撮影画像情報Ｃ１）と画像付属情報（カメラメーカ名、記録画像サイズ等）を付加した通信カメラ送信情報Ｃを送信する（図１３参照）。
【００９６】
一方、基幹サーバ３１１の通信カメラ情報取込部３１１ｊは、通信カメラ送信情報Ｃを受信して、これを第３の記憶手段３１１ｃに記憶する（ｄ２３ｂ）。
【００９７】
運搬担当者は、ＨＴ１５を操作して実際の車輌番号、運搬担当者、収集された廃棄物回収袋１１の見かけ容量、積替保管の有無等を入力する（ｄ２４）。
【００９８】
そして、１袋毎にＩＣタグ１２をＨＴ１５で読み取る（ｄ２５）。また、電子秤１３で１袋毎に廃棄物回収袋１１の重量を計測させ、この重量をＨＴ１５が受信して内部メモリに登録する（ｄ２６）。ＨＴ１５と電子秤１３とは、Ｂｌｕｅ  Ｔｏｏｔｈ（小電力近距離無線）機能を有している。
【００９９】
さらに、ＨＴ１５を用いて荷姿、廃棄物の種類（大分類コード、中分類コード、小分類コード）、回収日等を入力する。すなわち、ＨＴ１５の内部メモリには、ＨＴ端末ＩＤと、通信カメラＩＤと、入力された運搬車輌番号及び運搬担当と、見かけ容量、荷姿・・回収日時等からなるタグ毎回収時ＨＴ取込情報が登録される。
【０１００】
これらの入力処理を行った後で、運搬担当者は運搬車輌に現場で出た廃棄物回収袋１１を積載して中間処理場（廃棄物処理工場）に運ぶ（ｄ２８）。
【０１０１】
前述のｄ２４〜ｄ２６について以下に詳細に説明する。
【０１０２】
本実施の形態では情報システム社３２０において、ＨＴ１５には、予めパスワード、産廃業者の業者コード、回収時に重量計測するか、荷降時に重量計測するか、あるいは回収及び荷降時に重量計測するかが設定されている。また、電子秤１３のアドレスが設定されている。さらに、ＨＴ１５用のプログラムがダウンロードされているとして説明する。
【０１０３】
産廃業者の運搬担当者は、ＨＴ１５を用いて以下の図１４、図１５に示す処理を行わせる。
【０１０４】
初めに、運搬担当者はＨＴ１５の電源をオンにして（Ｓ１）、廃棄物処理の起動画面を表示させる（Ｓ２）。次に、開始ボタンＦ３を選択して起動画面を表示して運搬担当者が実際に乗っている車輌番号を入力させる（Ｓ３）。
【０１０５】
ステップＳ３の画面において、車輌番号を入力すると、確定Ｆ３を選択して担当者画面を表示させて実際の運搬担当者を選択させる（Ｓ４）。
【０１０６】
ステップＳ４の画面において、運搬担当者を入力すると、確定Ｆ３を選択して作業者確認画面を表示させる（Ｓ５）。
【０１０７】
次に、このステップＳ５の画面において確定Ｆ３が選択されるとＨＴ１５は、これらの情報を運搬担当・車輌情報として内部メモリに記憶する。そして、メニュー画面を表示していずれかのメニューを選択させる（Ｓ６）。本実施の形態では回収作業が選択され、回収作業の初期画面を表示する（Ｓ７）。この回収作業画面において、通信カメラＩＤ（カメラコード）を入力させる。通信カメラＩＤ（カメラコード）は通信カメラ１４に貼り付けられているバーコードラベル（図示せず）をスキャニング又はテンキーにより入力する。
【０１０８】
そして、ステップＳ７の画面において確定Ｆ３の選択でＨＴ１５は、積替保管有無の選択画面を表示する（Ｓ８）。本実施の形態は無しを選択とする。
【０１０９】
次に、ステップＳ８の画面において確定Ｆ３を選択すると、見かけ容量の画面を表示して見かけ容量を入力させる（Ｓ９）。
【０１１０】
ステップＳ９の画面において、確定Ｆ３の選択によってＨＴ１５は荷姿選択画面を表示する（Ｓ１０）。本実施の形態では袋を選択する。この画面において荷姿の選択後に確定Ｆ３を選択すると、ＨＴ１５は図１５−１に示すようにＩＣタグ読取画面を表示する（Ｓ１１ｂ）。この画面においては現在のＩＣタグ読取個数と荷姿とが表示される。
【０１１１】
そして、この画面の指示に従って運搬担当者はＨＴ１５を用いてＩＣタグ１２のタグ番号を読み込みさせる。このＩＣタグの読取情報はメモリに記憶される（Ｓ１２）。
【０１１２】
また、このタグ番号の読み取り（スキャニングともいう）に伴って画面に廃棄物種類選択画面を表示する（Ｓ１３、Ｓ１４、Ｓ１５）。そして、更に廃棄物回収袋が存在する場合はこの廃棄物種類選択画面において戻Ｆ１を選択してステップＳ１１ｂの画面に戻って再びＩＣタグのタグ番号を読取らせる（Ｓ１６）。  
また、廃棄物種類選択画面において、確定Ｆ３が選択されたときは、図１５−２に示すように廃棄物の重量の入力かどうかを判断する（Ｓ１７）。
【０１１３】
電子秤１３及びＨＴ１５はＢｌｕｅ  Ｔｏｏｔｈ機能（小電力近接無線）を有しており、図６に示すように電子秤１３は廃棄物回収袋１１が載せられると、ＨＴ１５と通信を介して計測した廃棄物回収袋１１の重量を送信する。
【０１１４】
ＨＴ１５は重量が入力されると、重量取得画面を表示する（Ｓ１８）。なお、重量取得画面において、手動で入力する場合は切替Ｆ２を選択して重量を入力する（Ｓ１９）。
【０１１５】
ステップＳ１８の画面において、確定Ｆ３が選択されたときは、回収作業確認画面を表示する（Ｓ２０）。
【０１１６】
このステップＳ２０の回収作業確認画面において、確定Ｆ３を選択すると、図１５−１に示すように、図１４のステップＳ１０に戻って（Ｓ２１）、次の廃棄物回収袋１１のＩＣタグのタグ番号を読み取り、ステップ１１〜Ｓ２０の処理を行う。
【０１１７】
また、図１４のステップＳ１０において、一覧Ｆ２が選択されたときは、メモリに記憶されている登録情報を読み込み、廃棄物種毎に個数をまとめると共に種類毎に重量を加算した回収一覧画面を表示する（図１５−１のＳ２２、Ｓ２３）。
【０１１８】
すなわち、廃棄物回収袋１個毎に重量を計測し、タグ番号と荷姿と廃棄物品目種、回収日時、通信カメラＩＤ、車輌番号等からなるタグ毎回収時ＨＴ取込情報（図１６参照）をＨＴ１５に登録する。
【０１１９】
以上までが回収である。次に荷降しについて図７を用いて説明する。
【０１２０】
荷降しは、図７に示すように、車輌が産廃業者（中間処理場）に到着すると、１袋毎にＨＴ１５でタグ番号を読取る（ｄ３０）。また、１袋毎に電子秤１３で廃棄物回収袋１１の重量を計測する。電子秤１３はＢｌｕｅ  ＴｏｏｔｈでＨＴ１５と通信を行い、ＨＴ１５はこれを受信してメモリに記憶する（ｄ３１）。これらはタグ番号毎に対応させられてタグ毎荷降時ＨＴ取込情報（図１８参照）として記憶される。
【０１２１】
そして、中間処理業者の担当者（運搬担当者でもよい）は、産廃業者のクレイドル２２にＨＴ１５をセットして（ｄ３２）、メモリに記憶されているタグ毎回収時ＨＴ取込情報とタグ毎荷降時ＨＴ読取情報とを全て産廃業者端末２１に送信する（ｄ３３）。
【０１２２】
産廃業者端末２１は、タグ毎回収時ＨＴ取込情報とタグ毎荷降時ＨＴ読取情報とを全て一旦、メモリに記憶した後に産廃業者コードを付加した産廃業者ＨＴ送信情報として通信ネットワーク６０を介して中央センター３１０の基幹サーバ３１１に送信する（ｄ３４）。
【０１２３】
この荷降ろし時の処理を詳細に図１７を用いて説明する。
【０１２４】
図１７に示すように、運搬担当者はＨＴ１５を操作してメニューの荷降画面を開く（Ｓ３０）。ステップＳ３０の荷降画面は、荷降ろし時において複数回の廃棄物回収袋を読み込んだ後に荷降し画面に戻ったときの画面を表示している。初回は、「ＩＣタグを読んでください」のメッセージのみである。
【０１２５】
運搬担当者はＨＴ１５を用いて廃棄物回収袋１１のＩＣタグ１２をスキャニングする（Ｓ３１）。ＨＴ１５はスキャニングしたタグ番号を有するタグ毎回収時ＨＴ取込情報をメモリから読み込み、重量、荷姿、廃棄物種類等を画面に表示する（Ｓ３２）。
【０１２６】
ステップＳ３２の画面において確定Ｆ３が選択されると、ＨＴ１５は重量の入力かどうかを判定する（Ｓ３３）。
【０１２７】
重量の入力があるときは、ＨＴ１５は重量取得画面を開く（Ｓ３５）。担当者は電子秤１３に廃棄物回収袋１１を乗せて重量を計測させる。つまり、見かけ重量ではなく実際の重量を計測している。電子秤１３は重量の計測結果をＨＴ１５に送信（Ｂｌｕｅ  Ｔｏｏｔｈ）する。
【０１２８】
ＨＴ１５は重量が電子秤１３から入力されると、この重量を画面に表示する（Ｓ３４）。ステップＳ３４の画面において、確定Ｆ３が選択されると、読み込んだタグ番号を有するタグ毎荷降時ＨＴ取込情報をメモリに書き込み、図１７−２に示すように評価入力画面を表示する（Ｓ３６）。
【０１２９】
この評価入力画面は、分別の精度が適切「〇」、不適切「×」を選択できるようになっている。つまり、現場から産廃業者に持ち込んだ廃棄物回収袋１１毎の分別の精度が適切かどうかを入力している。これにより、リサイクル・リユースといった資源の有効利用を促進することができる。
【０１３０】
次にステップＳ３６の画面において、確定Ｆ３が押されると、ＨＴ１５は読み込んだタグ番号を有するタグ毎荷降時ＨＴ取込情報に評価結果を書き込み、荷降情報確認画面を表示する（Ｓ３７）。
【０１３１】
ステップＳ３７の荷降情報確認画面において、確定Ｆ３が選択されると、ＨＴ１５はメモリに記憶されている全てのタグ毎回収時ＨＴ取込情報（テーブル構造で記憶されている）タグ番号の総数から「１」を減算し、この減算値が「０」になったかどうかで荷降残数があるかどうかを判断する（Ｓ３８）。また、荷降残数があると判断したときはステップＳ３０の荷降画面に戻して再びタグ番号を読み込んで、次の廃棄物回収袋の重量を計測させる（Ｓ３９）。
【０１３２】
ステップＳ３８において残無しと判定したときは荷降確定画面を表示し（Ｓ４０）、確認Ｆ３が選択されると、タグ毎荷降時ＨＴ取込情報をメモリに記憶して（図１８参照）、メニュー画面に戻す（Ｓ４１）。
【０１３３】
さらに、図１７−１に示す荷降終了画面を有している（Ｓ４５）。これは読取率によって作業を終了させるかどうかを知らせる画面である。
【０１３４】
ステップＳ４５の画面において、終了が押されると、ＨＴ１５は読み取り率を判定する（Ｓ４６）。予め設定した読み取り率未満の場合は、［ＩＣタグ読み取り率を達成していない］とする読み取り率未達成画面を表示する（Ｓ４７）。
【０１３５】
また、読み取り率に到達しているとしたときは、残数があるかどうかを判断し、残数がある場合は、作業を継続するか終了するかの画面を表示する（Ｓ４８）。
【０１３６】
このような処理を行った後に、ｄ３４で説明した産廃業者ＨＴ送信情報を中央センター３１０に送信する。この産廃業者ＨＴ送信情報は図１９に示す。
【０１３７】
一方、中央センター３１０の基幹サーバ３１１は、図７に示すように産廃業者ＨＴ送信情報を受信し、これを第４の記憶手段３１１ｄに記憶する（ｄ３５ａ）。
【０１３８】
そして、基幹サーバ３１１の産廃ヘッダ・ＨＴ明細作成部３１１ｑが産廃業者ＨＴ送信情報に基づいて図２０（ａ）に示す一回収毎の産廃ヘッダ情報Ｄ１を作成すると共に、図２０（ｂ）に示すような１袋毎のＨＴ明細情報Ｄ２を生成し、これを第５の記憶手段３１１ｅに記憶する（ｄ３５ｂ）。
【０１３９】
前述の産廃ヘッダ情報Ｄ１は、図２０（ａ）に示すように、ヘッダ番号（ＨＴ端末ＩＤが含まれている）と、引渡し日と、通信カメラＩＤと、実際の運搬車輌番号と、実際の運搬担当者と、見かけ容量と、運搬終了日と、収集加入者番号等からなる。
【０１４０】
すなわち、産廃ヘッダ・ＨＴ明細作成部３１１ｑは、回収日又は荷降日から所定後（例えば１日後の午後１１時）に、第４の記憶手段３１１ｄに記憶されている全ての産廃業者ＨＴ送信情報を読み込み、少なくとも同じ通信カメラＩＤ、同じＨＴ端末ＩＤ（ＨＴ番号）を有し、かつ同じ回収日（ここでは時間含まない）を有する産廃業者ＨＴ送信情報を抽出する。
【０１４１】
そして、これらの産廃業者ＨＴ送信情報の内で最も年月日、時刻が早い回収日時を引渡日時とし、かつ見かけ容量等を組み合わせた産廃ヘッダ情報Ｄ１を生成して記憶する。
【０１４２】
例えば、Ａ邸で３個の廃棄物（３個のＩＣタグ付きの廃棄物回収袋１１）を、
廃棄物１：１２月１５日９時：００に回収
廃棄物２：１２月１５日９時：０５に回収
廃棄物３：１２月１５日９時：１０に回収した場合は、１２月１５日９時：００を引渡日時とする。また、見かけ容量は３個分の見かけ容量である。
【０１４３】
さらに、産廃ヘッダ・ＨＴ明細作成部３１１ｑは、回収日から所定後（例えば１日後の午後１１時）に、第４の記憶手段３１１ｄに記憶されている全ての産廃業者ＨＴ送信情報を読み込み、少なくとも同じ通信カメラＩＤ、同じＨＴ端末ＩＤ（ＨＴ番号）を有し、かつ同じ回収日（ここでは時間含まない）を有する産廃業者ＨＴ送信情報を抽出する。
【０１４４】
そして、これらの情報の内で最も年月日、時刻が遅い荷降日時を運搬終了日時として産廃ヘッダ情報Ｄ１に組み込む。
【０１４５】
例えば、Ａ邸の３個の廃棄物（３個のＩＣタグ付き廃棄物回収袋１１）を、
廃棄物１：１２月１５日１７時：００に産廃業者で荷降
廃棄物２：１２月１５日１７時：０５に産廃業者で荷降
廃棄物３：１２月１５日１７時：１０に産廃業者で荷降
このような場合は、１２月１５日１７時：１０を運搬終了日とする。
【０１４６】
すなわち、多数の廃棄物回収袋があった場合は、回収時において、一番早くＨＴ１５で読み取ったものの日時とし、これらの廃棄物回収袋を産廃業者で最後に降ろしたときの日時を運搬終了日時としている。このため、１物件でこの日に出た廃棄物をどの程度の時間をかけて処分場に運搬したかがわかる。
【０１４７】
また、上記のＨＴ明細情報Ｄ２は、図２０（ｂ）に示すように、ヘッダ番号（ＨＴ番号含む）と、明細番号と、引渡日と、通信カメラ端末ＩＤと、廃棄物種類（大分類、中分類、小分類）、荷姿、廃棄物の数量（廃棄物の重量）と分別状況ランクと、引取容量と、荷降日時と、タグ状況、運搬量（荷降時の重量）等からなる１袋単位の明細情報である。
【０１４８】
この明細番号は、産廃業者ＨＴ送信情報が第４の記憶手段３１１ｄに記憶される毎に、ヘッダ番号に関連付けた明細番号として生成する。
【０１４９】
例えば、ヘッダ番号が００００Ｃ００００１とされていた場合は、１袋目の明細番号は「１」、次の袋は明細番号「２」（ヘッダ番号が００００Ｃ００００１）、さらに次の袋は明細番号が「３」（ヘッダ番号が００００Ｃ００００１）とされる。
【０１５０】
つまり、ＨＴ明細情報Ｄ２は、１袋単位の引渡日と荷降日時とＨＴ番号とタグ番号と廃棄物種類と廃棄物の重量とを組み合わせたものである。
【０１５１】
一方、図７に示すように、基幹サーバ３１１は、写真リンク付け処理を行う（ｄ３６）。この写真リンク付け処理は、写真画像検索部３１１ｋが第４の記憶手段３１１ｄに記憶されている産廃業者ＨＴ送信情報のタグ毎回収時ＨＴ読取情報を順次読み込み、該読み込み毎にタグ毎回収時ＨＴ読取情報の回収日時、通信カメラＩＤ、運搬車輌番号、運搬担当者、タグ番号を抽出する。そして、この通信カメラＩＤを有する通信カメラ送信情報Ｃを第３の記憶手段３１１ｃから全て検索し、これらの中から回収日時に対して直前の回収日時を有する通信カメラ送信情報Ｃを引き当てる。
【０１５２】
例えば、引渡し日が１２月１日で、回収日時が１２月１日１７時の場合で、撮影日時が１２月１日９時、１２月１日午前１２時、１２月１日午後２１時の場合は、１２時の撮影日時の写真画像を引き当てる。
【０１５３】
次に、写真画像リンク付部３１１ｐが引き当てた写真画像を、前述の引き当てた通信カメラ送信情報Ｃの荷降日時、通信カメラＩＤ、運搬車輌番号、運搬担当者を有する産廃ヘッダ情報Ｄ１（第５の記憶手段３１１ｅ）にリンク付し、これに所定の情報を付加した産廃回収写真付き情報Ｅ１を生成して第６の記憶手段３１１ｆに記憶する（ｄ３７）。
【０１５４】
次に、引き当てた通信カメラ送信情報の写真画像を産廃ヘッダ情報Ｄ１（Ｅ１のヘッダとなる）にリンク付けして第６の記憶手段３１１ｆに記憶（産廃回収写真付き情報Ｅ１という）する（図２１参照）。
【０１５５】
そして、集計部３１１ｒが第５の記憶手段３１１ｅの産廃ヘッダ情報Ｄ１の回収日時及び通信カメラＩＤを有するＨＴ明細情報Ｄ２を全て読み込んで、廃棄物の種類毎に数等を集計し、この集計結果を第７の記憶手段３１１ｇに記憶（産廃回収品目集計情報Ｅ２）する（ｄ３８）。
【０１５６】
すなわち、図２２に示すような産廃回収品目情報Ｅ２が第７の記憶手段３１１ｇに記憶される。
【０１５７】
前述の集計は、例えば、ＨＴ取り込み情報に（１）廃プラ・袋・１キロ、（２）廃プラ・袋・３キロ、（３）木くず・バラ・５キロという情報があった場合、廃プラ・袋・４キロ、木くず・バラ・５キロと登録される。
【０１５８】
次に、ＪＷＮＥＴ登録用情報作成部３１１ｓは、第７の記憶手段３１１ｇに記憶されている産廃回収写真付き情報Ｅ１の物件コード、引渡し日、・・を読み込み、かつ第１の記憶手段３１１ａ及び第２の記憶手段３１１ｂからＪＷＮＥＴに登録するための所定の情報を読み込んで組み合わせたＪＷＮＥＴ排出登録情報Ｆ（図２３参照）を生成して第８の記憶手段３１１ｈに記憶する（ｄ３９）。
【０１５９】
このＪＷＮＥＴ排出登録情報Ｆは支店単位で生成して登録する。図２３の引渡し担当者は、承認を行う担当者である。
【０１６０】
そして、ＪＷＮＥＴ運搬終了報告情報作成部３１１ｔは、ＪＷＮＥＴ排出登録情報Ｆを元にしたＪＷＮＥＴ運搬終了報告情報Ｇ（物件コード、引渡し日、廃棄物種類、マニフェスト番号、車輌番号、運搬量、報告担当者・・：図２４参照）を作成して、第９の記憶手段３１１ｉに記憶する（ｄ４０）。この運搬終了報告情報Ｇは産業廃棄物業者単位で作成して登録する。
【０１６１】
一方、支店３４０側の担当者は、図８に示すように、端末３４１から基幹サーバ３１１にアクセスして基本基幹情報Ｈと産廃回収写真付き情報Ｅ１、産廃回収品目集計情報Ｅ２の一部を組み合わせた情報（顧客コード、写真画像、回収日、運搬終了日（荷降）等（総称して住宅業者産廃確認情報という）を表示させる（ｄ４２）。
【０１６２】
この住宅業者産廃確認情報を図２５に示す。図２５のように写真画像がリンク付けされている場合に、担当者は画像を確認の上で承認する。承認がなされたとき、承認コードが住宅業者廃棄物確認情報に付加されて記憶される。
【０１６３】
一方、支店３４０の事務担当は、基幹サーバ３１１にアクセスして産廃回収写真付き情報Ｅ１、産廃回収品目集計情報Ｅ２と基幹基本情報Ｈとに基づく表を画面に表示させる（ｄ４３）。この画面において所定の情報が揃っているときはＪＷＮＥＴに登録（マニフェスト番号が付加される）する（ｄ４４）。
【０１６４】
この登録時には基幹サーバ３１１の送出部３１１ｖが、ＪＷＮＥＴ排出登録情報ＦとＪＷＮＥＴ運搬終了報告情報ＧとをＥＤＩサーバ３１２に渡して、ＪＷＮＥＴ形式のデータに変換させてＪＷＮＥＴサーバ４０に送信させる（ｄ４４）。
【０１６５】
従って、支店３４０側ではデータＥ１、Ｅ２を参照することにより、顧客毎に廃棄物回収袋の写真と回収日時と産廃業者での荷降日時、見かけ容量、重量等を確認できることになるから、運搬業者において廃棄物容量の増減があってもそれが適切かどうかを画面で確認できる。また、後日不法投棄があった場合においては画面からどこから出た廃棄物かを確認できる。さらに、実際の運搬担当者、実際の車輌番号等が１袋単位に画像と共に管理されているから、不法投棄等があった場合は誰が何時、どこから運んできた廃棄物かを把握できる。
【０１６６】
なお、上記実施の形態では、現場側から産廃業者（収集業者）に産業廃棄物を運んできて、１袋単位に重量、ＩＣタグ１２のタグ番号を読取ることを例示したが、産廃業者（収集業者）から処分業者に廃棄物を運んできたときに、処分業者側において重量とＩＣタグ１２の番号を読み込んで基幹サーバ３１１に登録するようにしてもよい。
【０１６７】
このとき、収集業者から処分業者に廃棄物を運ぶために車輌に廃棄物を搭載するときは、上記と同様に担当者と車輌番号等をＨＴ１５に入力する。
【０１６８】
なお、上記実施の形態では、基幹サーバが回収日時に対して直前の撮影日時の撮影画像を住宅業者の廃棄物確認の写真として説明したが以下のように荷降日時を用いてもよい。写真画像検索部３１１ｋが第４の記憶手段３１１ｄに記憶されている産廃業者ＨＴ送信情報のタグ毎荷降時ＨＴ読取情報を順次読み込み、該読み込み毎にタグ毎荷降時ＨＴ読取情報の荷降日時、通信カメラＩＤ、運搬車輌番号、運搬担当者、タグ番号を抽出する。そして、この通信カメラＩＤを有する通信カメラ送信情報Ｃを第３の記憶手段３１１ｃから全て検索し、これらの中から荷降日時に対して直前の回収日時を有する通信カメラ送信情報Ｃを引き当てる。
【０１６９】
例えば、引渡し日が１２月１日で、荷降日時が１２月１日１７時の場合で、撮影日時が１２月１日９時、１２月１日午前１２時、１２月１日午後２１時の場合は、１２時の撮影日時の写真画像を引き当てる。
【０１７０】
次に、写真画像リンク付部３１１ｐが引き当てた写真画像を、前述の引き当てた通信カメラ送信情報Ｃの荷降日時、通信カメラＩＤ、運搬車輌番号、運搬担当者を有する産廃ヘッダ情報Ｄ１（第５の記憶手段３１１ｅ）にリンク付し、これに所定の情報を付加した産廃回収写真付き情報Ｅ１を生成して第６の記憶手段３１１ｆに記憶する。
【０１７１】
次に、引き当てた通信カメラ送信情報の写真画像を産廃ヘッダ情報Ｄ１（Ｅ１のヘッダとなる）にリンク付けして第６の記憶手段３１１ｆに記憶（産廃回収写真付き情報Ｅ１という）する（図２１参照）。
【０１７２】
従って、本社は基幹サーバにアクセスして適宜必要とするデータを読み取って、これを解析し、廃棄物を削減する方策や、新商品開発のための、資料を得る手段とすることができる。
【符号の説明】
【０１７３】
１０      現場
１１      廃棄物回収袋
１２      ＩＣタグ
１３      電子秤
１４      撮影機能付き通信端末（通信カメラ）
１５      携帯端末
２０      産廃業者サブシステム
２１      産廃業者端末
２２      接続端末（クレイドル）
３０      住宅業者サブシステム
４０      ＪＷＮＥＴサーバ
５０      処分業者サブシステム
５１      処分業者端末
６０      通信ネットワーク
７０      専用回線
３１０    中央センター
３１１    基幹サーバ
３１１ａ  第１の記憶手段
３１１ｂ  第２の記憶手段
３１１ｃ  第３の記憶手段  
３１１ｄ  第４の記憶手段
３１１ｅ  第５の記憶手段
３１１ｆ  第６の記憶手段  
３１１ｇ  第７の記憶手段
３１１ｈ  第８の記憶手段
３１１ｉ  第９の記憶手段
３１１ｊ  通信カメラ情報取込部
３１１ｋ  写真画像検索部
３１１ｐ  写真画像リンク付部
３１１ｍ  ＨＴ送信情報取込部
３１１ｑ  産廃ヘッダ・ＨＴ明細作成部
３１１ｒ  集計部
３１１ｓ  ＪＷＮＥＴ登録用情報作成部
３１１ｔ  ＪＷＮＥＴ運搬終了報告情報作成部
３１１ｖ  送出部
３１２    電子データ交換（ＥＤＩ）サーバ
３１３    Ｗｅｂサーバ
３１４    メールサーバ
３１５    端末
３２０    情報システム社
３２１    初期設定用端末
３２３    端末
３３０    本社
３４０    支店
３４１    支店端末
【図１】
2010191906.tif 000003
【図２】
2010191906.tif 000004
【図３】
2010191906.tif 000005
【図４−１】
2010191906.tif 000006
【図４−２】
2010191906.tif 000007
【図５】
2010191906.tif 000008
【図６】
2010191906.tif 000009
【図７】
2010191906.tif 000010
【図８】
2010191906.tif 000011
【図９】
2010191906.tif 000012
【図１０】
2010191906.tif 000013
【図１１】
2010191906.tif 000014
【図１２】
2010191906.tif 000015
【図１３】
2010191906.tif 000016
【図１４】
2010191906.tif 000017
【図１５−１】
2010191906.tif 000018
【図１５−２】
2010191906.tif 000019
【図１６】
2010191906.tif 000020
【図１７−１】
2010191906.tif 000021
【図１７−２】
2010191906.tif 000022
【図１８】
2010191906.tif 000023
【図１９】
2010191906.tif 000024
【図２０】
2010191906.tif 000025
【図２１】
2010191906.tif 000026
【図２２】
2010191906.tif 000027
【図２３】
2010191906.tif 000028
【図２４】
2010191906.tif 000029
【図２５】
2010191906.tif 000030